(57)【要約】【目的】  室内の隅部に取り付ける幅木を簡便に固定する固定具である。【構成】  固定具は、本体２の前後に、固定体に当接可能な固定体当接部３と幅木２０の端部に当接可能な幅木当接部４ａを備えていて、前記本体２はバネ作用を備えていると共にネジ孔８が形成してある。【選択図】        図１
2005273169.tif 000002
【特許請求の範囲】
【請求項１】
本体の前後に、固定体に当接可能な固定体当接部と幅木の端部に当接可能な幅木当接部を備え、前記本体はバネ作用を備えていると共に、ネジ孔を形成してあることを特徴とする幅木の固定具
【請求項２】
固定体当接部の裏面に厚み調節体を着脱自在に備えることを特徴とする請求項１の幅木の固定具。
【発明の詳細な説明】
【技術分野】
【０００１】
本発明は、室内の隅部に取り付ける幅木の固定具に関する。
【背景技術】
【０００２】
従来、室内の下隅部に幅木を取り付けるために、先ず、幅木に接着剤を塗布する。そして、その幅木を下隅部にセットし、幅木と同様な短く切断した板材で、幅木を押えて固定することが行われている。又、上隅部に幅木を取り付ける時には、接着剤で固定するまで、その幅木を床に立設の支持棒等で押えている。
【発明の開示】
【発明が解決しようとする課題】
【０００３】
前記のように、幅木を固定するために、板材等を利用しているので、幅木を床板の方向に付勢力を作用させることが困難であり、床板と幅木との間に隙間が生じて固定されることがある。又、幅木を押えるための板材等を用意しなければならないし、その板材を作業完了後に廃棄することになり、廃棄物を増加させることになる。
以上のように、幅木を固定させるための従来の器具では、経済性等が十分でなく、新たな固定具が望まれている。
そこで、本願は、幅木を固定するために、簡便な取り扱いで済み、且つ、再利用が可能である固定具を提供するものである。
【課題を解決するための手段】
【０００４】
請求項１の幅木の固定具は、本体の前後に、固定体に当接可能な固定体当接部と幅木の端部に当接可能な幅木当接部を備えていて、前記本体はバネ作用を備えていると共にネジ孔を形成してある。
接着剤を塗布した幅木を、床板と固定物（壁等）で形成の隅部にセットした後に、固定体当接部を固定体に当接状態にすると共に、幅木当接部を幅木の端部に当接し、その後、ネジ孔にネジを挿入して締め付ける。すると、固定具１は、本体のバネ作用で固定物側に付勢されると共に、固定体当接部と幅木当接部は逆方向に付勢されるので、幅木は床板と隙間無く付勢され、且つ、固定物と接着剤で固定される。
又、請求項２の幅木の固定具は、固定体当接部の裏面に厚み調節体を着脱自在に備えているので、種々の厚みの幅木に対応することができる。
【発明の効果】
【０００５】
請求項１の幅木の固定具は、ネジ止めすることによって、幅木は床板と固定物に、隙間なく堅固に接着することができる。
請求項２の幅木の固定具は、厚み調節体によって、種々の厚みの幅木に対応することができる。
【発明を実施するための最良の形態】
【０００６】
本発明の１実施の形態を図１を参照して説明する。図１（Ａ）は固定具の全体図、図１（Ｂ）は幅木と固定具の使用状態の断面図である。
固定具１は、正面視、平板状の中央体２ａの前後に連結の前体２ｂと後体２ｃとで略コ字状の本体２と、この本体２の前端部に連結され、固定体（壁等）１０に当接可能な平板状の固定体当接部３と、本体２の後端部に連結され、前記固定体当接部３側に延設の延設部４ｂと幅木２０に当接可能な幅木当接部４ａとでＬ字状に形成の幅木部４とで構成してあり、合成樹脂や金属板等で弾性作用を備えて形成してある。
【０００７】
又、前記固定具１は、弾性を有していて板バネとして作用し、前記中央体２ａのほぼ中央にはネジ孔８が形成してあり、この中央体２ａを押圧すると、固定体当接部３と幅木当接部４ａは、逆方向の付勢力を得る。
従って、前記幅木当接部４ａの幅Ｌは、幅木２０の断面部に当接可能な長さであればよいし、固定体当接部３の方向は幅木当接部４ａの方向に、幅木当接部４ａの方向も固定体当接部３とは逆方向に向けて形成してもよい。即ち、固定体当接部３と幅木当接部４ａは、中央体２ａを押圧したとき、各々逆方向に付勢力を得るように形成すればよい。
【０００８】
尚、前記中央体２ａと固定体当接部３、及び中央体２ａと延設部４ｂの間には、隙間１８ａ、１８ｂを形成するのが望ましい。
しかし、中央体２ａの前後に固定体当接部３と幅木当接部４ａを備え、中央体２ａに板バネ作用があるなら、前記隙間１８ａ、１８ｂは必ずしも必要ではなく、例えば、図３に示すような固定具として、ネジ孔８を形成の中央体２ａの前後に固定体当接部３と幅木当接部４ａを備えると、中央体２ａのバネ作用によって、固定体当接部３と幅木当接部４ａは、中央体２ａを押圧したとき、各々逆方向に付勢力を得る。
【０００９】
次に、図１（Ｂ）を参照して、床板３０と固定体（壁等）１０との隅部に幅木２０を固定する固定具１の使用方法について説明する。
先ず、幅木２０に接着剤を塗布し、固定具１を図１（Ｂ）に示すように、幅木２０を固定体１０と床板３０との隅部にセットする。そして、固定具１の幅木当接部４ａを幅木２０の端部に当接すると共に固定体当接部３を固定体１０に当接して、その後、前記ネジ孔８にネジ８ａを挿入して締め付けて、ネジ８ａを固定体１０で固定する。
【００１０】
このネジ８ａの締め付けによって、本体２は固定体１０の方向に押圧されるので、固定具１の全体は固定体１０の方向に付勢されると共に、固定体当接部３と固定体１０との摩擦によって、固定体当接部３は上方向に付勢力を得るし、幅木当接部４ａは下方向に付勢力を得る。そのため、幅木２０は、床板３０の方向に付勢されると共に、固定体１０の方向に付勢される。
その結果、幅木２０は、凹凸がある床板３０とは密接状態で接着されるし、固定体１０とも堅固に接着される。
【００１１】
次に、図２に示す固定具１Ａについて説明すると、この固定具１Ａは前記固定具１とは、幅木２０の厚みが厚い場合に対応可能に、固定体当接部３の裏面に厚み調節体２１を取付けた点を異にする。
前記図１に示す固定具１を、厚みが厚い幅木２０に採用すると、Ｌ字状の延設部４ｂと幅木当接部４ａが、幅木部４と垂直に当接しない状態になる。
【００１２】
そこで、固定体当接部３の裏面に厚み調節体２１をビス２２で固定すると、幅木当接部４ａが幅木２０に当接し、固定体当接部３が固定体１０に当接したとき、Ｌ字状の延設部４ｂと幅木当接部４ａは幅木２０の端部に密着して当接することができる。
例えば、図２に示すように、厚み調節体２１を付設の固定具１Ａを用いると、天井板４０と固定体１０との隅部に幅木（廻り縁）２０を取り付けると、幅木当接部４ａは幅木２０に密着して固定することができる。
以上のように、固定具１Ａは、この着脱可能な厚み調節体２１を備えることによって、種々の厚みの幅木２０に対応することができる。
【図面の簡単な説明】
【００１３】
【図１】（Ａ）は幅木の固定具の全体図、（Ｂ）は固定具の使用状態の断面図である。
【図２】（Ａ）は他の構成の幅木（廻り縁）の固定具１Ａの使用状態の断面図である。
【図３】他の構造の固定具の全体図である。
【符号の説明】
【００１４】
１、１Ａ  固定具
２  本体
２ａ  中央体
２ｂ  前体
２ｃ  後体
３  固定体当接部
４  幅木部
４ａ  幅木当接部
８  ネジ孔
１０  固定体
２０  幅木
３０  床板
【図１】
2005273169.tif 000003
【図２】
2005273169.tif 000004
【図３】
2005273169.tif 000005